(57)【要約】【課題】警報器を壁面に固定するための固定具を、所望の位置に正しく且つ容易に取り付ける技術を提供する。【解決手段】警報器を壁面３に固定するための固定具２を当該壁面３に取り付ける際に用いるシート１であって、固定具２を嵌め込み可能な取付孔１１を有すると共に、当該取付孔１１に嵌め込まれた固定具２が前記壁面３に沿って移動するのを阻止するよう所定の厚みを有し、前記壁面３に対向する裏面のうち、少なくとも前記取付孔１１の周辺に粘着部１２を設けてある固定具位置決めシート。【選択図】図４
2007127183.tif 000002
【特許請求の範囲】
【請求項１】
警報器を壁面に固定するための固定具を当該壁面に取り付ける際に用いるシートであって、
前記固定具を嵌め込み可能な取付孔を有すると共に、
当該取付孔に嵌め込まれた前記固定具が前記壁面に沿って移動するのを阻止するよう所定の厚みを有し、
前記壁面に対向する裏面のうち、少なくとも前記取付孔の周辺に粘着部を設けてある固定具位置決めシート。
【請求項２】
前記取付孔の形状を、前記固定具の外周形状に一致させてある請求項1に記載の固定具位置決めシート。
【請求項３】
前記取付孔のサイズを、前記固定具の外形寸法よりも小さく構成してある請求項１又は２に記載の固定具位置決めシート。
【請求項４】
前記取付孔の内縁部全周のうち前記壁面と隣接する領域に、前記壁面の側に向く傾斜面を形成してある請求項１〜３の何れか一項に記載の固定具位置決めシート。
【請求項５】
前記警報器の外観意匠を記載し、前記警報器の外形寸法と同じ寸法に構成してある請求項１〜４の何れか一項に記載の固定具位置決めシート。
【発明の詳細な説明】
【技術分野】
【０００１】
本発明は、警報器を壁面に固定するための固定具を当該壁面に取り付ける際に用いる技術に関する。
【背景技術】
【０００２】
従来、ガス漏れや煙の発生等を知らせる警報器を壁面に固定する場合には、警報器本体と略同じか小さい面積を有する固定具を壁に取り付け、この固定具に警報器本体を係止していた。前記固定具は、例えば、少なくとも１箇所以上の孔部を有し、この孔部に木ネジやクギを挿通することで壁面に取付け可能に構成されていた。
【発明の開示】
【発明が解決しようとする課題】
【０００３】
しかしながら、家庭用のガス警報器等の取付け位置は天井付近又は床付近の壁面であるので作業し難く、また、木ネジやクギを挿通する際に固定具の姿勢が変化することがあり、鉛直及び水平軸を正しく合わせた状態で所望の位置に固定具を取り付けることは容易ではなかった。
【０００４】
従って、本発明は、上記問題点に鑑み、警報器を壁面に固定するための固定具を、所望の位置に正しく且つ容易に取り付ける技術を提供することを目的とする。
【課題を解決するための手段】
【０００５】
この目的を達成するための本発明に係る固定具位置決めシートの第１特徴構成は、警報器を壁面に固定するための前記固定具を当該壁面に取り付ける際に用いるシートであって、前記固定具を嵌め込み可能な取付孔を有すると共に、当該取付孔に嵌め込まれた前記固定具が前記壁面に沿って移動するのを阻止するよう所定の厚みを有し、前記壁面に対向する裏面のうち、少なくとも前記取付孔の周辺に粘着部を設けてある点にある。
【０００６】
警報器を壁面に固定するための固定具を当該壁面に取り付ける際に、上記構成を有する固定具位置決めシートを用いることで、前記固定具を、所望の位置に正しく且つ容易に取り付けることができる。即ち、固定具を嵌め込み可能な取付孔を有し、当該取付孔に嵌め込まれた固定具が前記壁面に沿って移動するのを阻止するよう所定の厚みがあるので、固定具の位置決めが確実になる。また、前記壁面に対向する裏面のうち、少なくとも前記取付孔の周辺に粘着部を設けてあるので、警報器を固定すべき壁面に粘着部を粘着させてシートを固定した上で、前記固定具を取付孔に嵌め込むことによって、固定具の位置決めを確実に行うことができる。このような操作を行った後に、前記固定具に警報器を固定すると、警報器を所望の位置に正しく且つ容易に取り付けることができる。
尚、前記位置決めシートの厚みは、前記取付孔に嵌め込んだ前記固定具の移動を規制することができる限り、任意に設定可能である。
【０００７】
本発明に係る固定具位置決めシートの第２特徴構成は、前記取付孔の形状を、前記固定具の外周形状に一致させてある点にある。
【０００８】
前記取付孔の形状を、前記固定具の外周形状に一致させることによって、固定具の取付姿勢を誤ることなく確実に壁面に取付けることができる。
【０００９】
本発明に係る固定具位置決めシートの第３特徴構成は、前記取付孔のサイズを、前記固定具の外形寸法よりも小さく構成してある点にある。
【００１０】
前記取付孔のサイズを、前記固定具の外形寸法よりも小さく構成すると、固定具を嵌着できるので、前記固定具位置決めシートが前記固定具を固定する力がさらに向上する。また、位置決めシートに固定具を嵌め込んで固定することによって、従来のように固定具を常に作業者等の手で抑える必要が無くなり、固定作業の効率が高まる。特に、固定具を天井付近等の高所に取り付ける場合に操作性が良くなり、作業効率の向上が顕著である。
尚、前記取付孔のサイズは、前記位置決めシートをはがす際に前記取付孔から前記固定具が脱離するのを妨げない程度に、前記固定具の外形寸法よりも小さく構成することができる。
【００１１】
本発明に係る固定具位置決めシートの第４特徴構成は、前記取付孔の内縁部全周のうち前記壁面と隣接する領域に、前記壁面の側に向く傾斜面を形成してある点にある。
【００１２】
前記取付孔の内縁部全周のうち前記壁面と隣接する領域に、前記壁面の側に向く傾斜面を形成してあると、固定具を壁面に押し当てたとき、固定具と壁面との間にシートが噛みこむのを防止し、固定具が壁面から浮き上がった状態で固定されるのを防ぐことができる。取付孔のサイズが固定具の外形寸法よりも小さい場合に、この構成は特に有効である。
【００１３】
本発明に係る固定具位置決めシートの第５特徴構成は、前記警報器の外観意匠を記載し、前記警報器の外形寸法と同じ寸法に構成してある点にある。
【００１４】
シートに警報器の外観意匠を記載し、前記警報器の外形寸法と同じ寸法に構成すると、固定具の取付け位置を検討する際に、壁面に取付けた警報器の状態を正確に把握することができる。従って、固定具の正しい取付け位置を容易に確認することができる。
【発明を実施するための最良の形態】
【００１５】
以下に本発明の実施の形態を図面に基づいて説明する。
本発明に係る固定具位置決めシート１は、例えば、図１及び図２に示すような外観の警報器Ｋを壁面３に固定するための固定具２を、当該壁面３に取り付ける際に用いる。前記警報器Ｋとしては、例えば、ガス警報器や火災警報器、あるいは、空気汚れ警報器等、一般に用いられる壁掛け式の各種の警報器が適用可能である。当該警報器Ｋは、警報器本体（筐体）を有し、都市ガス検知センサや一酸化炭素センサ、あるいは、温度センサ・煙センサ等、用途に応じた各種のセンサ機構をその筐体内に収容している。
【００１６】
前記固定具２としては、図１及び図４に示すようなものを用いることができる。具体的には、当該固定具２は、木ネジ２１ａや釘部材２１ｂ，２１ｃ等の固定部材２１によって壁面３に取り付ける。そのために、固定部材２１が貫通可能な孔部（以下、第１孔部２２、第２孔部２５と称する）を備える。さらに、前記固定具２は、前記第１孔部２２を挟んで一方の側に、前記警報器Ｋの筐体の背面側に設けた凹部（図示せず）に係合可能な係止部２３，２４を備える。
【００１７】
壁面３に固定具２の取付ける場合、前記第１孔部に木ネジ２１ａを挿入しただけでは固定具２が回転して警報器Ｋが回転するおそれが生じる。そのため、本構成のように、前記第１孔部２２とは別の箇所に第２孔部２５を設ける。当該第２孔部２５には、例えば、前記釘部材２１ｂを挿通する。また、前記固定具２の下側（前記係止部２４側）を固定するため、前記係止部２４側に設けた第２孔部２５にも前記釘部材２１ｃを挿通する。図１及び図４に示すように、前記釘部材２１ｂの挿通方向は、前記第１孔部２２と前記第２孔部２５とを結ぶ方向に対して直角にならないように設定するのが好ましい。これにより、固定具２を回転させようとする力が作用したとき、釘部材２１ｂの挿通方向と第２孔部２５を中心とした回転方向とが異なるため釘部材２１ｂが抜け難くなり、壁面３に対する固定具２の取付けを強化することができる。また、図１及び図４に示すように、上記何れの釘部材２１ｂも壁面３に対して垂直ではなく、所定の傾斜角度を持たせて打ち込む。本構成であれば、仮に固定具２を壁面３から離間させる方向に外力が作用した場合でも、固定具２が離間しようとする方向と、釘部材２１ｂの打ち込み方向とが異なる。このため、釘部材２１ｂが抜け難く、固定具２を壁面３に強固に固定することができる。前記釘部材２１ｃの挿通方向は、前記第１孔部２２と前記第２孔部２５とを結ぶ方向や壁面３に対して直角に打ち込んでもよく、或いは、前記釘部材２１ｂと同様に、それらに対して直角にならないようすることもできる。
【００１８】
上記構成を採用した場合、前記固定具２を壁面３に取り付ける際の固定部材２１の好適な組み合わせは、木ネジ２１ａと釘部材２１ｃ、または釘部材２１ｂと釘部材２１ｃである。前者の場合、木ネジ２１ａによって固定具２が壁面に強固に固定され、後者の場合、木ネジ２１ａを使用しないため壁面３表面の損傷が少なくてすむという利点がある。
【００１９】
上述した警報器Ｋと固定具２との組み合わせのみによっても、警報器Ｋの壁面３への取付けは可能である。しかし、鉛直方向に同軸でない位置に２箇所以上の孔部を設けた固定具２、特に、前記第２孔部２５の挿通方向が壁面３に対して垂直ではなく所定の傾斜角度を持たせてある場合には、これらの孔部２５に釘部材２１ｂ，２１ｃを打ち付ける際に固定具２の取付位置または取付姿勢がずれるおそれがある。そこで、以下に説明する本発明の位置決めシート１を用いる。
【００２０】
図３（ａ）は、本発明に係る固定具位置決めシート１の正面図である。当該位置決めシート１は、例えば、ポリウレタン、ポリエチレン、ポリ塩化ビニル、ポリエステル、紙製のシートである。前記壁面３に対向する裏面には粘着部１２が設けられ、位置決めシート１を壁面３に貼着させることができる。好ましくは、前記粘着部１２を保護する剥離紙（図示せず）で前記粘着部１２を被覆しておき、使用直前に該剥離紙を剥離する。
尚、前記粘着部１２は前記位置決めシート１の裏面全体に設けていてもよいが、少なくとも取付孔１１の周辺に設け、位置決めシート１を壁面３に貼着させる。
【００２１】
図４は、前記位置決めシート１を用いた固定具２の固定手順を示す。先ず、前記位置決めシート１の鉛直・水平方向並びに天井または床からの距離を確認しながら、壁面３の警報器Ｋ取付位置にシート１を貼着する。そして、前記シート１の取付孔１１に前記固定具２を嵌め込んで前記固定具２の位置を決め、同時に前記壁面３に前記固定具２を仮止めする。次に、前記木ネジ２１ａまたは釘部材２１ｂで前記固定具２を壁面３に固定し、釘部材２１ｂ，２１ｃで更に固定する。前記固定部材２１による前記固定具２の固定が終わった後、前記位置決めシート１をはがす。その後、図１に示すように、固定具２に警報器Ｋを係止して、警報器Ｋを壁面３に取付ける。図２は、壁面３への取り付けが完了した警報器Ｋを側面から見た状態を示す。
【００２２】
前記位置決めシート１は、固定具２の位置決め及び取付けが完了した後、壁面３から取り外す。このため、弱粘着性の接着剤によって前記位置決めシート１の裏面に粘着部１２を形成する。また、剥がし易くするため、位置決めシート１を可撓性のシートで構成することが好ましい。
尚、警報器Ｋの形式によっては、警報器Ｋを壁面３に取り付けた状態で、警報器Ｋと壁面３との間に隙間が生じる。このような場合には、固定具２を壁面３に取り付けた後にも位置決めシート１を残しておいてもよい。
【００２３】
図３（ｂ）に示すように、当該位置決めシート１は所定の厚みを有し、警報器Ｋが取り付けられる固定具２を嵌め込み可能な取付孔１１が貫設されている。図３または図４に示すように、この取付孔１１の形状は前記固定具２の外周形状に一致させるのがよく、また、図５に示すように、取付孔１１のサイズを固定具２の外型寸法に一致させるのがよい。取付孔１１は、シート表面に表された意匠との関連で、前記警報器Ｋを実際に取付ける際に固定具２が位置すべきところに設けられる。より好ましくは、図６（ａ）に示すように、前記取付孔１１のサイズを前記固定具２の外形寸法よりも少し小さく構成する。この場合、図６（ｂ）に示すように、前記固定具２を前記取付孔１１に嵌め込んで固定する。また、前記固定具２を前記取付孔１１に嵌め込む際に前記位置決めシート１を巻き込んで固定具２が壁面３から浮かないように、図７（ａ）に示すように、前記取付孔１１の内縁部のうち前記壁面と隣接する領域に、前記壁面の側に向く傾斜面１３を形成してもよい。この取付孔１１に前記固定具２を嵌入させると、図７（ｂ）に示すように前記位置決めシート１と前記固定具２とが密着し、前記固定具２が前記壁面に沿って移動するのを規制する。
尚、図６に示すように、前記取付孔１１のサイズを前記固定具２の外形寸法よりも少し小さく構成する場合、取付孔１１周辺の領域は固定具２を嵌め込む際に内側に向かって巻き込まれることがあるので、粘着部１２を設けずにおくことが好ましい。
【００２４】
前記警報器Ｋと固定具２との組み合わせが決まっている場合、図３（ａ）及び図４に示すように、固定する警報器Ｋの外観意匠を位置決めシート１の表面に記載し、位置決めシート１の外形寸法を前記警報器Ｋの外形寸法と同じ寸法に構成することが好ましい。このようにすると、壁面３に固定した後の警報器Ｋの状態を正確に把握できるので、警報器Ｋおよび固定具２の位置決めを簡単且つ確実に行うことができる。また、当該位置決めシート１の表面に、取り付けるべき警報器Ｋの意匠の他に、取付時に鉛直・水平方向を確認するためのガイド線を印刷してもよい。また、当該位置決めシート１の表面に、固定具２及び警報器Ｋの取付手順及び注意事項も印刷しておくことで、説明書としての機能を追加することもできる。
【産業上の利用可能性】
【００２５】
ガス警報器や火災警報器、あるいは、空気汚れ警報器等、一般に用いられる壁掛け式の各種の警報器を壁面に固定する固定具の位置決めが確実かつ容易に行えるので、これらの警報器の取り付けに利用可能である。
【図面の簡単な説明】
【００２６】
【図１】固定具と該固定具によって固定される警報器の斜視図
【図２】固定具に警報器を係止した状態を表す側面図
【図３】本発明に係る位置決めシートの正面図及び断面図
【図４】本発明に係る位置決めシートを用いた固定具の取付形態を表す斜視図
【図５】位置決めシートの取付孔の寸法と固定具の外形寸法との関係を表す断面図
【図６】位置決めシートの取付孔の寸法と固定具の外形寸法との関係を表す断面図
【図７】位置決めシートの取付孔の寸法と固定具の外形寸法との関係を表す断面図
【符号の説明】
【００２７】
１        位置決めシート
２        固定具
３        壁面
１１      取付孔
１２      粘着部
１３      傾斜面
Ｋ        警報器
【図１】
2007127183.tif 000003
【図２】
2007127183.tif 000004
【図３】
2007127183.tif 000005
【図４】
2007127183.tif 000006
【図５】
2007127183.tif 000007
【図６】
2007127183.tif 000008
【図７】
2007127183.tif 000009